(57)【要約】【課題】本発明は、受信されたＷｅｂページを表示する際に利用者がＷｅｂページ全体における表示位置を確認しながら表示画面を閲覧することができる小型情報端末装置を提供することを目的とするものである。【解決手段】携帯端末装置の制御部１０は、送受信部１１を介してＷｅｂページを一括して受信し表示部１２において画面表示するために、Ｗｅｂページを分割処理部１０１において所定の分割サイズのページエリアに分割し、エリア情報生成部１０２においてページエリア毎にエリア情報を生成する。ページ表示処理部１０３及びエリア情報表示処理部１０４では、ページエリアとともにエリア情報を画面表示し、ポインティング入力部１４により選択されたエリア情報に応じてページエリアを表示する。【選択図】図２
2007094521.tif 000002
【特許請求の範囲】
【請求項１】
Ｗｅｂページを受信する受信手段と、受信されたＷｅｂページを表示する表示装置とを備えている小型情報端末装置であって、受信されたＷｅｂページを所定の分割データサイズのページエリアに分割する分割処理手段と、分割されたページエリアに対応してエリア情報を生成するエリア情報生成手段と、生成されたエリア情報を表示装置にレイアウト表示するエリア情報表示処理手段と、表示されたエリア情報のうちいずれかを選択する選択手段と、選択されたエリア情報に対応するページエリアを表示装置に表示するページ表示処理手段とを備えていることを特徴とする小型情報端末装置。
【請求項２】
前記選択手段は、ポインティング入力部を備えており、ポインティング入力部からの入力信号に基づいてエリア情報を選択することを特徴とする請求項１に記載の小型情報端末装置。
【請求項３】
前記選択手段は、装置本体の移動方向を検知する移動検知手段を備えており、移動検知手段により検知された移動方向に基づいてエリア情報を選択することを特徴とする請求項１に記載の小型情報端末装置。
【請求項４】
前記選択手段は、前記移動検知手段により第一の移動方向が検知された場合にエリア情報の選択位置を移動させるとともに前記移動検知手段により第二の移動方向が検知された場合に選択位置のエリア情報を選択することを特徴とする請求項３に記載の小型情報端末装置。
【発明の詳細な説明】
【技術分野】
【０００１】
本発明は、Ｗｅｂページを受信して表示することができる小型情報端末装置に関する。
【背景技術】
【０００２】
近年インターネットをはじめとする通信ネットワークのサービス領域が急速に拡大するとともに高速通信が可能となり、それに伴い携帯電話等の通信機器も利用者が急拡大している。こうした中で、音声以外に、テキストデータ、写真等の画像データや動画等の映像データといった様々なデータがネットワーク上を送受信されるようになっている。
【０００３】
そのため、携帯電話等の小型情報端末装置では、送受信された大量のデータを表示することが求められているが、表示画面が小さいため受信されたデータを一挙に表示することが困難になっている。したがって、受信するデータを区切って取得して画面表示したり、データをすべて受信した後その一部を画面表示し利用者が操作ボタンを押下することで表示範囲をスクロールして画面表示している。
【０００４】
しかしながら、受信するデータ量が大きくなって画面表示するサイズが拡大してくると、操作ボタンの押下による表示範囲のスクロールを何度も行う必要があり、また、画面全体が表示されないので、画面表示のサイズがどの程度の大きさかがわかりにくくスクロール中の表示画面の位置が把握しづらい。そのため、どの範囲に自分の見たい情報が掲載されているのかが把握できないまま闇雲にスクロールするといった問題点が生じてくる。
【０００５】
こうした問題点を解決するため、例えば、特許文献１では、マウスのホイールボタンやジョグダイヤル等の拡大縮小用入力装置のスクロールによる表示装置に表示される表示領域の拡大又は縮小変更指示に応じて、ＣＰＵが、マウスやペン入力装置やタッチパネル等のポインティング装置により指示された表示領域内の所定の座標を基準点として、仮想画面内に設定される表示領域を拡大又は縮小変更制御する点が記載されている。
【特許文献１】特開２００５−１００１９９号公報
【発明の開示】
【発明が解決しようとする課題】
【０００６】
上述した特許文献１では、画面表示にスクロール操作と拡大・縮小操作とを組み合せて小さな表示画面でも移動表示が容易になるようにしているが、利用者が見たい表示位置に到達するまでに拡大・縮小操作が必要になることから、その分の手間がかかることは避けられない。すなわち、画面表示する全体が把握できない場合には、やはり現在の表示位置を確認するために縮小操作を行う必要があり、一旦縮小すると元に戻すために拡大操作しなければならず、そうした拡大・縮小操作が必要となる。
【０００７】
特に、Ｗｅｂページを携帯電話等の小型情報端末装置で表示する場合、Ｗｅｂページ全体の中でどの範囲が表示されているのか常時把握できていないと、利用者が見たい位置まで表示画面をスクロールする場合にその移動方向が定められず利便性が悪い。
【０００８】
そこで、本発明は、受信されたＷｅｂページを表示する際に利用者がＷｅｂページ全体における表示位置を確認しながら表示画面を閲覧することができる小型情報端末装置を提供することを目的とするものである。
【課題を解決するための手段】
【０００９】
本発明に係る小型情報端末装置は、Ｗｅｂページを受信する受信手段と、受信されたＷｅｂページを表示する表示装置とを備えている小型情報端末装置であって、受信されたＷｅｂページを所定の分割データサイズのページエリアに分割する分割処理手段と、分割されたページエリアに対応してエリア情報を生成するエリア情報生成手段と、生成されたエリア情報を表示装置にレイアウト表示するエリア情報表示処理手段と、表示されたエリア情報のうちいずれかを選択する選択手段と、選択されたエリア情報に対応するページエリアを表示装置に表示するページ表示処理手段とを備えていることを特徴とする。さらに、前記選択手段は、ポインティング入力部を備えており、ポインティング入力部からの入力信号に基づいてエリア情報を選択することを特徴とする。また、前記選択手段は、装置本体の移動方向を検知する移動検知手段を備えており、移動検知手段により検知された移動方向に基づいてエリア情報を選択することを特徴とする。さらに、前記選択手段は、前記移動検知手段により第一の移動方向が検知された場合にエリア情報の選択位置を移動させるとともに前記移動検知手段により第二の移動方向が検知された場合に選択位置のエリア情報を選択することを特徴とする。
【発明の効果】
【００１０】
本発明は、上記のような構成を有することで、Ｗｅｂページを一旦受信した後所定の分割データサイズのページエリアに分割してページエリアに対応するエリア情報を一覧でレイアウト表示するようにしているので、利用者は一覧表示されたエリア情報を見て常時どの部分のページエリアを表示しているか把握することができる。すなわち、分割データサイズを表示装置の表示画面サイズとほぼ同じになるように設定しておけば、エリア情報がＷｅｂページ全体を表示するための分割画面数に相当し、どれだけの画面を移動すれば見たい画面に到達できるかが一目でわかるようになり、画面表示操作が容易になって利便性が向上する。そして、エリア情報を選択する選択手段により選択されたエリア情報に対応するページエリアを表示するようにすれば、目的のページエリアに迅速に移動することができ、従来のようにＷｅｂページをスクロールしながら移動することは不要となる。
【００１１】
そして、選択手段がポインティング入力部を備えており、ポインティング入力部からの入力信号に基づいてエリア情報を選択するようにすれば、エリア情報の選択操作を容易に行うことができる。
【００１２】
また、選択手段が装置本体の移動方向を検知する移動検知手段を設け、移動検知手段により検知された移動方向に基づいてエリア情報を選択するようにすれば、装置本体を移動させることでエリア情報を選択することができ、選択操作をさらに簡略化することも可能となるとともに選択操作のためのボタン等が不要となって装置構成のコンパクト化に寄与する。そして、選択手段が、移動検知手段により第一の移動方向が検知された場合にエリア情報の選択位置を移動させるとともに移動検知手段により第二の移動方向が検知された場合に選択位置のエリア情報を選択するようにすれば、エリア情報の選択位置の設定操作から選択操作までの一連の操作を装置本体を適宜移動させるだけで行うことができ、選択操作をよりシンプルでスピーディに行うことが可能となる。
【００１３】
また、エリア情報表示処理手段が、選択位置のエリア情報を反転表示するようにすれば、利用者にどの位置のエリア情報が選択されているか明示され、利用者がＷｅｂページ内の表示範囲を容易に認識することができる。
【発明を実施するための最良の形態】
【００１４】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１５】
図１は、本発明に係る実施形態である携帯端末装置に関する外観図を示しており、図１（ａ）が正面図であり、図１（ｂ）が側面図である。携帯端末装置１は、液晶パネルを備えた表示装置２と、複数のキー３が配列されるとともにポインティング装置としてマウスボタン４及び光学マウス５を備えた本体装置６からなる。
【００１６】
表示装置２は、折畳み可能に本体装置６に取り付けられている。また、マウスボタン４は、本体装置６の正面側に設けられており、光学マウス５は、本体装置６の背面側に設けられている。そして、本体装置６が背面側をテーブル等に載置された状態で移動することで、光学マウス５が発光素子からの光を載置面で反射させその反射光を受光することで移動方向を検知し、検地された移動方向に対応して表示装置２の表示画面上のポインタを移動させて適宜ポインタの位置設定を行い、マウスボタン４のクリック動作により入力信号が出力されるようになっている。  
【００１７】
図２は、本実施形態に関する概略ブロック構成図を示している。携帯端末装置１は、装置全体の制御処理を行う制御部１０、インターネット等の通信ネットワークを介して外部と情報を送受信する送受信部１１、表示装置２の液晶パネルに画面表示を行う表示部１２、本体装置６のキー３の操作により入力信号を出力するキー入力部１３、マウスボタン４及び光学マウス５の操作により入力信号を出力するポインティング入力部１４、及び、画面表示処理等の各種処理を行うためのデータやプログラムを記憶する記憶部１５を備えている。
【００１８】
制御部１０は、送受信部１１を介してＷｅｂページをすべて受信し表示部１２において画面表示するために、分割処理部１０１、エリア情報生成部１０２、ページ表示処理部１０３及びエリア情報表示処理部１０４を備えている。
【００１９】
分割処理部１０１は、送受信部１１からすべてのＷｅｂぺージデータが入力されると、記憶部１５に予め記憶された分割サイズデータ１５３を読み出し、受信されたＷｅｂページを分割サイズデータに応じて分割処理し、分割されたデータをページエリアデータ１５１として記憶部１５に記憶する。この場合、分割サイズデータ１５３は、表示部１２の画面に表示可能なデータのサイズに設定しておくとよいが、そのサイズよりも小さいサイズに設定しておくことも可能である。
【００２０】
図３は、Ｗｅｂページをページエリアに分割する例を示す説明図である。この例では、情報検索サイトに関するＷｅｂページを受信した場合であり、Ｗｅｂページに多数の検索項目が掲載されているが、分割サイズに応じて検索項目を分割して３ページのページエリアデータを生成している。
【００２１】
エリア情報生成部１０２は、分割処理されたページエリアに対応してエリア情報を生成する。エリア情報としては、例えば、ページエリアの表示順序を示すページ番号等の識別情報やページアリアの最初に掲載されるテキストデータ等の内容情報が挙げられる。生成されたエリア情報データ１５２は、記憶部１５に記憶される。
【００２２】
ページ表示処理部１０３は、分割されたページエリアデータ１５１に基づいて表示部１２に表示する処理を行う。その際に、ポインティング入力部１４からの操作信号に応じて選択されたページエリアデータ１５１を記憶部１５から読み出して表示処理する。
【００２３】
エリア情報表示処理部１０４は、生成されたエリア情報データ１５２に基づいて表示部１２にレイアウト表示する処理を行う。図４は、エリア情報をレイアウト表示した例を示す説明図である。この例では、図４（ｂ）に示すように、受信されたＷｅｂページを４つに分割して１ページから４ページのページエリアデータが得られており、図４（ａ）に示すように、表示画面Ｄには、１ページ目のページエリアデータを表示領域Ｄ１に表示し、４つのエリア情報を表示領域Ｄ２に上下方向に順次配列して一覧表示している。そして、現在選択表示されている１ページ目のページエリアに対応して１ページ目のエリア情報の表示部分が反転表示されている。各エリア情報の表示部分には、ページ番号等の識別情報を併せて表示してもよいし、内容情報を表示するようにしてもよい。そして、光学マウス５を操作して所望のエリア情報の表示部分にポインタを位置合せして、マウスボタン４をクリックすると、該当するページエリアデータが読み出されて表示されるようになる。なお、選択表示されたエリア情報の表示部分を点滅表示するようにしてもよい。
【００２４】
図５は、エリア情報をレイアウト表示した別の例を示す説明図である。この例では、図５（ｃ）に示すように、Ｗｅｂページを７つのページエリアデータに分割している。そして、図５（ａ）に示すように、７つのエリア情報を一覧表示する表示領域Ｄ２が画面全体に表示される場合と、図５（ｂ）に示すように、ページエリアデータの表示領域Ｄ１及びエリア情報の一覧表示領域Ｄ２が表示される場合があり、それぞれ現在選択されているエリア情報の表示部分が反転表示されている。図５（ａ）及び（ｂ）の画面の切替えは、マウスボタン４のクリック操作により行われる。
【００２５】
そして、図５（ａ）では、エリア情報が大きく表示されるため、エリア情報として内容情報が表示されている場合には見易くなる。したがって、図５（ａ）を表示させて所望のエリア情報の表示部分をマウスボタン４により選択した後図５（ｂ）に切り替えることで選択したページエリアを表示することができる。
【００２６】
なお、エリア情報を一覧表示する表示領域Ｄ２は、エリア情報が多い場合には一部のみ配列しておきスクロール表示により全体が表示できるようにしてもよい。
【００２７】
図６は、Ｗｅｂページの表示処理に関するフローを示している。まず、Ｗｅｂページが一括ダウンロードされると（Ｓ１００）、分割サイズデータが読み出されて（Ｓ１０１）、受信されたＷｅｂページが分割サイズ毎に分割されて複数のページエリアが生成される（Ｓ１０２）。そして、分割生成されたページエリアについてそれぞれエリア情報が生成される（Ｓ１０３）。
【００２８】
次に、生成されたページエリア及びエリア情報が表示される（Ｓ１０４）。例えば、図４（ａ）に示すように、１ページ目のページエリアが表示されるとともにすべてのエリア情報が一覧表示される。そして、選択されたエリア情報の表示部分を反転表示する（Ｓ１０５）。例えば、図４（ａ）に示すように、１ページ目のページエリアが選択表示されている場合には１ページ目に対応するエリア情報の表示部分が反転表示される。
【００２９】
次に、ポインティング機能が起動処理され（Ｓ１０６）、ポインティング操作が行われたかチェックされる（Ｓ１０７）。本体装置を操作して光学マウスにより移動が検知された場合には、ポインタの移動表示処理が行われて（Ｓ１０８）エリア情報の選択が行われたかチェックされる（Ｓ１０９）。マウスボタンのクリック操作によりエリア情報の選択が行われた場合には、選択されたエリア情報に対応するページエリアが表示処理される（Ｓ１１０）。そして、受信したＷｅｂページの表示を終了する操作が行われた場合には終了する。表示を終了する操作がない場合には、ステップＳ１０７に戻り、ポインティング操作の有無がチェックされる。
【００３０】
以上説明したＷｅｂページの表示処理により、利用者は一覧表示されたエリア情報を常時確認しながら見たいページエリアを表示させることができ、画面表示操作を簡単かつ迅速に行うことが可能となる。
【００３１】
図７は、以上説明した実施形態の変形例に関する概略ブロック構成図である。この例では、ポインティング入力部１４に代えて移動検知部１６を備えている。移動検知部１６は、本体装置６の移動方向を検知する機能を有しており、加速度計により移動方向を検知したり、撮像カメラを搭載して撮影した映像データから移動方向を検知してもよい。また、上述した光学マウスのように載置台からの反射光により移動方向を検知するようにしてもよい。移動検知部１６は、例えば、本体装置６の少なくとも２つの異なる移動方向を検知するようになっている。例えば、本体装置の上下方向及び左右方向、前後方向及び左右方向のように２つの異なる移動方向が検知対象として設定されている。
【００３２】
そして、２つの移動方向のうち第一の移動方向を検知した場合には、エリア情報の選択位置の設定変更を行い、第二の移動方向を検知した場合には、設定した選択位置のエリア情報を選択決定する−というように処理すれば、エリア情報の選択を簡略化して行うことができる。
【００３３】
図８は、変形例においてＷｅｂページの表示処理を行う場合のフローを示している。まず、Ｗｅｂページが一括ダウンロードされると（Ｓ２００）、分割サイズデータが読み出されて（Ｓ２０１）、受信されたＷｅｂページが分割サイズ毎に分割されて複数のページエリアが生成される（Ｓ２０２）。そして、分割生成されたページエリアについてそれぞれエリア情報が生成される（Ｓ２０３）。
【００３４】
次に、生成されたページエリア及びエリア情報が表示される（Ｓ２０４）。例えば、図４（ａ）に示すように、１ページ目のページエリアが表示されるとともにすべてのエリア情報が一覧表示される。そして、選択されたエリア情報の表示部分を反転表示する（Ｓ２０５）。例えば、図４（ａ）に示すように、１ページ目のページエリアが選択表示されている場合には１ページ目に対応するエリア情報の表示部分が反転表示される。
【００３５】
次に、移動検知機能が起動処理され（Ｓ２０６）、本体装置の移動が行われたかチェックされる（Ｓ２０７）。移動が行われた場合には、移動方向が上下方向か左右方向かチェックされ（Ｓ２０８）、移動方向が上下方向の場合にはエリア情報の選択位置が移動する表示処理が行われる（Ｓ２０９）。この場合には反転表示した位置が移動して別のエリア情報が反転表示される。移動処理を行う場合には、例えば、移動方向か上方向の場合にはエリア情報の選択位置も上方向に移動するようにすれば、利用者にとって選択位置を設定しやすくなる。
【００３６】
ステップＳ２０８において、移動方向が左右方向の場合には、選択位置のエリア情報に対応するページエリアが表示処理される（Ｓ２１０）。そして、受信したＷｅｂページの表示を終了する操作が行われた場合には終了する。表示を終了する操作がない場合には、ステップＳ２０７に戻り、本体装置の移動の有無がチェックされる。
【００３７】
以上のような表示処理を行うことで、ボタン操作等を行うことなく本体装置の移動操作だけでＷｅｂページを表示画面に効率よく表示させることができる。
【図面の簡単な説明】
【００３８】
【図１】本発明に係る実施形態に関する外観図である。
【図２】本実施形態に関する概略ブロック構成図である。
【図３】Ｗｅｂページをページエリアに分割する例を示す説明図である。
【図４】エリア情報をレイアウト表示した例を示す説明図である。
【図５】エリア情報をレイアウト表示した別の例を示す説明図である。
【図６】Ｗｅｂページの表示処理に関するフローである。
【図７】変形例に関する概略ブロック構成図である。
【図８】変形例におけるＷｅｂページの表示処理に関するフローである。
【符号の説明】
【００３９】
１・・・携帯端末装置、２・・・表示装置、３・・・キー、４・・・マウスボタン、５・・・光学マウス、６・・・本体装置、10・・・制御部、15・・・記憶部。
【図１】
2007094521.tif 000003
【図２】
2007094521.tif 000004
【図３】
2007094521.tif 000005
【図４】
2007094521.tif 000006
【図５】
2007094521.tif 000007
【図６】
2007094521.tif 000008
【図７】
2007094521.tif 000009
【図８】
2007094521.tif 000010